(57)【特許請求の範囲】
【請求項１】
チタン（ＩＶ）イソプロポキシドとホウ水素化ナトリウムの存在下にポリアルキレンイミンを、一般式：
【化１】
0004827358.tif 000008
（式中、ｎは０又は１であり、Ｒ１、Ｒ２、Ｒ３及びＲ４は同一又は異なり、相互に独立して水素原子、実施する反応に適合可能な基、又は標的要素を表し、但し、Ｒ１、Ｒ２、Ｒ３及びＲ４のうちのただ１個の置換基を標的要素とする）で表される機能的ヘミアセタールで処理することを特徴とする機能的ポリアルキレンイミンの製造方法であって、前記適合可能な基が、ヒドロキシ、炭素原子数１〜４のアルキル（Ｃ１〜４）又はヒドロキシアルキル（Ｃ１〜４）から選択され、前記標的要素が、糖、ペプチド、タンパク質、オリゴヌクレオチド、脂質、神経伝達物質、ホルモン、ビタミン又はその誘導体から選択され、前記機能的ポリアルキレンイミンが標的要素を共有結合させたポリアルキレンイミンであることを特徴とする前記製造方法。
【請求項２】
アルコール溶媒中で操作することを特徴とする請求項１に記載の機能的ポリアルキレンイミンの製造方法。
【請求項３】
前記アルコール溶媒がメタノール又はエタノールであることを特徴とする請求項２に記載の機能的ポリアルキレンイミンの製造方法。
【請求項４】
更に１０〜３０℃の温度で操作することを特徴とする請求項１に記載の機能的ポリアルキレンイミンの製造方法。
【請求項５】
ポリアルキレンイミン１モル当たり２５〜１００モルのチタン（ＩＶ）イソプロポキシドを使用することを特徴とする請求項１に記載の機能的ポリアルキレンイミンの製造方法。
【請求項６】
使用するチタン（ＩＶ）イソプロポキシドの量の５０〜８０（モル）％の量のホウ水素化ナトリウムを使用することを特徴とする請求項１に記載の機能的ポリアルキレンイミンの製造方法。
【請求項７】
ポリアルキレンイミン１モル当たり６〜１００モルの機能的ヘミアセタールを使用することを特徴とする請求項１に記載の機能的ポリアルキレンイミンの製造方法。
【請求項８】
開始ポリアルキレンイミンが一般式：
【化２】
0004827358.tif 000009
（式中、Ｒは水素原子又は一般式：
【化３】
0004827358.tif 000010
の基を表し、ｎは２〜１０の整数であり、ｐとｑはポリマーの平均分子量が１００〜１０７Ｄａとなるようにｐ＋ｑの和を選択した整数である）で表されることを特徴とする請求項１に記載の機能的ポリアルキレンイミンの製造方法。
【請求項９】
前記開始ポリアルキレンイミンがポリエチレンイミン（ＰＥＩ）又はポリプロピレンイミン（ＰＰＩ）であることを特徴とする請求項８に記載の機能的ポリアルキレンイミンの製造方法。
【請求項１０】
前記開始ポリアルキレンイミンが平均分子量５００００Ｄａもしくは２５０００Ｄａもしくは２２０００Ｄａのポリエチレンイミン又は平均分子量８０００００Ｄａのポリプロピレンイミンから選択されることを特徴とする請求項９に記載の機能的ポリアルキレンイミンの製造方法。
【請求項１１】
前記標的要素が糖、ペプチド、タンパク質、オリゴヌクレオチド、脂質、神経伝達物質、ホルモン、ビタミン又はその誘導体から選択されることを特徴とする請求項１に記載の機能的ポリアルキレンイミンの製造方法。
【請求項１２】
前記糖がガラクトース、マンノース、フコース、ラムノース、ラクトース又はマルトースから選択されることを特徴とする請求項１１に記載の機能的ポリアルキレンイミンの製造方法。
【請求項１３】
ポリアルキレンイミンにグラフトした機能的ヘミアセタールが１％〜２０％であることを特徴とする請求項１に記載の機能的ポリアルキレンイミンの製造方法。
【発明の詳細な説明】
【０００１】
本発明は細胞にトランスフェクトする核酸を処方するのに有用な機能的ポリアルキレンイミンの製造方法に関する。
【０００２】
バイオテクノロジーの発展に伴い、核酸の効率的な細胞導入は多数のバイオテクノロジー用途で基本技術となっている。例えば組換えタンパク質を生産したり、実験室で遺伝子発現調節の研究、遺伝子クローニング又は他の任意のＤＮＡ操作を行うといった核酸を細胞にｉｎ  ｖｉｔｒｏ導入することが含まれる。また、例えばワクチン製造、標識試験又は治療アプローチでは核酸を細胞にｉｎ  ｖｉｖｏ導入することが含まれる。更に、例えばトランスジェニック動物の作製には後期再投与の目的で生物から抽出した細胞に遺伝子を導入する。
【０００３】
現在、遺伝子を細胞に導入する手段として最も普及しているのはウイルスベクターの使用である。しかし、ウイルスベクターは全く危険がないとはいえず、合成ベクターの使用に基づく他のいくつかの方法も提案されている。これらの合成ベクターはトランスフェクトしようとする核酸を複合体化して圧縮すること、細胞膜及び場合により２つの核膜の通過を助長するという２つの主機能をもつ。
【０００４】
例えば合成ベクターがいくつか提案されている。それらのうちでは、ポリアルキレンイミン等のカチオンポリマーが特に有用である。カチオンポリマーは特にｉｎ  ｖｉｖｏでの核酸トランスフェクションの場合に確かに比較的有効であることが分かっており、毒性も比較的低い。カチオンポリマーが核酸と形成する複合体（「ポリプレクス」とも言う）は注入部位から比較的良好に拡散することも認められている（Ｊ．Ｓ．Ｒｅｍｙら；Ａｄｖａｎｃｅｄ  Ｄｒｕｇ  Ｄｅｌｉｖｅｒｙ  Ｒｅｖｉｅｗｓ，３０，１９９８，ｐｐ．８５−９５）。
【０００５】
他方、トランスフェクトした核酸が生物の他の部分に拡散せずに標的細胞と効果的に相互作用することが重要であるため、適切な核酸を特定臓器、組織、細胞種又は細胞分画を標的とできるベクターを入手することが今日では不可欠であると思われる。その目的は標的細胞以外の細胞と核酸の非特異的作用を完全に避けることである。例えば、ガラクトシル化ポリエチレンイミンはガラクトースに対応する細胞受容体（レクチン）をもつ細胞にプラスミドをｉｎ  ｖｉｔｒｏ導入するのに有効なベクターであることが判明した（Ｚａｎｔａら，Ｂｉｏｃｏｎｊ．Ｃｈｅｍ．，８（２），１９９７，ｐ．８３９；Ｔ．Ｂｅｔｔｉｎｇｅｒら，Ｂｉｏｃｏｎｊ．Ｃｈｅｍ．，１９９９）。
【０００６】
現在まで、例えばガラクトシル化ポリエチレンイミン等のポリマーはシアノホウ水素化ナトリウムの存在下にオリゴ糖をポリエチレンイミンと作用させることにより得られていた。しかし、この試薬は高価でしかも毒性が高いという欠点がある。比較的カチオン性である最終生成物にシアン化物イオンが残留する危険があると、医薬用途には全く利用できない。更に、ポリアルキレンイミンは小分子ではなくポリマーであり、多数の溶媒、特に非極性溶媒に溶けないため、代替製法の研究は未だ成果を上げていない。例えば、トリアセトキシホウ水素化ナトリウムを使用する代替法は成功しなかった。硫酸水溶液とピリジン−ボラン混合物中でホウ水素化ナトリウムを使用することもカチオンポリマーには不適合であることが判明した。従って、ポリアルキレンイミン型カチオンポリマーに適合可能であり、医薬的に許容可能な試薬のみを使用する代替法を開発することが必要であると思われた。
【０００７】
今般、チタン（ＩＶ）イソプロポキシドとホウ水素化ナトリウムの存在下にポリアルキレンイミンを機能的ヘミアセタールで処理することにより機能的ポリアルキレンイミンを製造できることが判明した。
【０００８】
このような方法は例えばアルコールのようにポリアルキレンイミンと適合可能な溶媒中で実施できるという利点があり、低廉且つ低毒性の試薬のみで実施できる。
【０００９】
Ｂｈａｔｔａｃｈａｒｙｙａらの各種論文（Ｊ．Ｏｒｇ．Ｃｈｅｍ．，１９９５，６０，ｐｐ．４９２８−４９２９；Ｓｙｎｌｅｔｔ，１９９５，ｐｐ．１０７９−１０８０；Ｊ．Ｃｈｅｍ．Ｓｏｃ．，Ｐｅｒｋｉｎ  Ｔｒａｎｓ．１，１９９８，ｐｐ．２５２７−２５３１）にはケトン又はアルデヒドから下記反応：
【００１０】
【化４】
0004827358.tif 000002
（式中、ＲとＲ’は相互に独立して水素原子、アルキル基、アリール基を表すか、又は一緒になって場合によりヘテロ原子を含む５、６もしくは７員シクロアルキル基を形成し、Ｒ１とＲ２は相互に独立して水素原子、場合によりヒドロキシもしくはエステルで置換されたアルキル基を表すか、又はＲ１とＲ２は一緒になって場合によりヘテロ原子を含む５もしくは６員シクロアルキル基を形成する）によりアミンを製造する方法が記載されている。しかし、このような方法はケトン又は対応するアルデヒドから小分子即ち特にただ１個のアミン官能基を含む非ポリマー分子を製造する範囲でしか記載されていない。
【００１１】
本発明によると、開始ポリアルキレンイミンは一般式：
【００１２】
【化５】
0004827358.tif 000003
（式中、Ｒは水素原子又は一般式：
【００１３】
【化６】
0004827358.tif 000004
の基を表し、ｎは２〜１０の整数であり、ｐとｑはポリマーの平均分子量が１００〜１０７Ｄａとなるようにｐ＋ｑの和を選択した整数である）で表される。
【００１４】
当然のことながら、一般式（Ｉ）においてｎの値とＲ基は−ＮＲ−（ＣＨ２）ｎ−から−（ＣＨ２）ｎ−ＮＨ−までの種々のモチーフとなるように選択できる。従って、一般式（Ｉ）は直鎖ポリマーと分枝鎖ポリマーに加え、ホモポリマーとヘテロポリマーも含む。
【００１５】
ｎは２〜５が好ましい。好ましいポリマーは例えばポリエチレンイミン（ＰＥＩ）又はポリプロピレンイミン（ＰＰＩ）である。更に、本発明の実施に好ましく、特にトランスフェクションに有効であることが判明したポリマーは平均分子量１０３〜５×１０６のポリマーである。例えば、平均分子量５００００Ｄａ（５０ＫＰＥＩ）、２５０００Ｄａ（２５ＫＰＥＩ）、２２０００Ｄａ（２２ＫＰＥＩ）のポリエチレンイミン又は８０００００Ｄａ（８００ＫＰＰＩ）のポリプロピレンイミンを挙げることができる。
【００１６】
本発明で使用するポリアルキレンイミンは当業者に公知の種々の方法により得ることができる。例えばアニオン重合（例えばエチレンイミン重合）条件下で対応するモノマーから化学的に合成することもできるし、ジアルデヒドとジアミンの重縮合により得られたイミンの還元により製造することもできる。更に、例えば２５ＫＰＥＩ、２２ＫＰＥＩ又は８００ＫＰＰＩ等の多数のポリアルキレンイミンが市販されている。
【００１７】
本発明の趣旨では「機能的ポリアルキレンイミン」とは標的要素を共有結合させたポリアルキレンイミン型カチオンポリマーを意味する。これらの標的要素は所望の所定細胞種、所定組織又は所定細胞分画への核酸導入を誘導することができる。標的要素とポリアルキレンイミンの共有結合は機能的ヘミアセタール即ち置換基の１個を前記標的要素としたヘミアセタールと上記反応条件下で反応させることにより得られる。
【００１８】
より詳細には、機能的ヘミアセタールとは本発明の趣旨では一般式：
【００１９】
【化７】
0004827358.tif 000005
（式中、ｎは０又は１であり、Ｒ１、Ｒ２、Ｒ３及びＲ４は同一又は異なり、相互に独立して水素原子、実施する反応に適合可能な基又は標的要素を表し、但し、Ｒ１、Ｒ２、Ｒ３及びＲ４のうちのただ１個の置換基を標的要素とする）で表される任意分子を意味する。
【００２０】
適合可能な基の例としては、ヒドロキシ、炭素原子数１〜４のアルキル（Ｃ１〜４）又はヒドロキシアルキル（Ｃ１〜４）を挙げることができる。
【００２１】
標的要素はヘミアセタールに直接グラフトしてもよいし、二官能性結合分子（「リンカー」とも言う）を介してグラフトしてもよい。前記標的要素をヘミアセタールにグラフトするのは化学的には不可能であるが、「リンカー」はこれを可能にし、及び／又はヘミアセタールから前記標的要素を分離することができる。二官能性結合分子とは、標的要素に共有結合することができる少なくとも１個の官能基とヘミアセタールに共有結合することができる少なくとも１個の官能基を含む任意分子を意味する。
【００２２】
本発明の趣旨では、標的要素とは核酸導入を誘導することが可能な任意分子を意味する。この標的要素は所望の所定細胞種又は所定組織（腫瘍細胞、肝細胞、造血細胞等）へのＤＮＡ導入を誘導することが可能な細胞外標的要素とすることができる。所定の優先細胞区画（例えばミトコンドリア又は核）への核酸導入を誘導することが可能な細胞内標的要素でもよい。
【００２３】
本発明の範囲で利用可能な標的要素としては、糖、ペプチド、タンパク質、オリゴヌクレオチド、脂質、神経伝達物質、ホルモン、ビタミン又はその誘導体が挙げられる。例えば、抗体又は抗体フラグメント、細胞受容体のリガンド又はそのフラグメント、受容体又は受容体フラグメントのような糖、ペプチド又はタンパク質が好ましい。特に、増殖因子受容体リガンド、サイトカイン受容体リガンド、細胞レクチン型受容体のリガンドや、接着タンパク質受容体（例えばインテグリン）に対して親和性をもつＲＧＤ配列を含むリガンドが挙げられる。トランスフェリン受容体、ＨＤＬ及びＬＤＬや、葉酸輸送体も挙げることができる。標的要素はアシアログリコプロテインやシアル酸付加物（例えばシアリルルイスＸ）の受容体等のレクチンを標的とすることが可能な糖や、Ｆａｂ抗体フラグメント又は１本鎖抗体（ＳｃＦｖ）でもよい。例えば、前記糖は単糖、二糖又は三糖から選択することができる。例えばガラクトース、マンノース、フコース、ラムノース、ラクトース又はマルトースが挙げられる。
【００２４】
一般に、アルコール溶媒（例えばメタノール又はエタノール）中で１００℃〜３０℃の温度で反応を実施する。エタノール中で周囲温度即ち１８℃〜２５℃の温度で操作することが好ましい。
【００２５】
更に、一般に導入するポリマー１モル当たり２５〜１００モルのチタン（ＩＶ）イソプロポキシド、より好ましくはポリマー１モル当たり４０〜６０モルのチタン（ＩＶ）イソプロポキシドを使用する。
【００２６】
また、使用するチタン（ＩＶ）イソプロポキシドの量の５０〜８０（モル）％の量のホウ水素化ナトリウムを反応混合物に導入する。
【００２７】
本発明の方法を実施するために使用する機能的ヘミアセタールの量は所望のグラフト率により異なる。ポリマー１モル当たり６〜１００モルの機能的ヘミアセタールを使用すると効果的である。
【００２８】
機能的ヘミアセタールの使用量に応じて１％〜２０％、好ましくは４％〜２０％の割合で機能的ポリアルキレンイミンが得られる。標的要素として糖を使用する場合には、ポリアルキレンイミンにグラフトする糖の百分率はレゾルシノール法を使用して正確に決定することができる。この方法は予め透析しておいた機能的ポリアルキレンイミンをレゾルシノールと硫酸で処理した後、２０分間９０℃に加熱する。冷却後に４９５ｎｍの吸光度を測定し、基準サンプル（標準溶液）と比較する。グラフトしなかった標的要素を透析により除去し、基準サンプルと比較測定することにより、グラフトした標的要素の量を決定することができる。更に、ポリマーは従来小分子で実施されているようなＮＭＲ（核磁気共鳴）や質量測定により特性を決定することができないので、この方法は得られる生成物の特性を決定するのにより確実な手段の１つとなる。
【００２９】
本発明の方法は特定所定組織、所定細胞種又は所定細胞区画を標的とすることが可能な核酸導入ベクターを作製するために廉価で且つ低毒性の代替法を提供するという点で特に効果的である。更に、糖で機能付与したポリアルキレンイミンは非機能的ポリアルキレンイミンよりも細胞毒性が低いことが判明した。
【００３０】
機能的ポリアルキレンイミンは核酸を細胞にトランスフェクトするのに有用である。この目的では、機能的ポリアルキレンイミンを１種以上の核酸と混合し、複合体（「ポリプレクス」とも言い、従って、トランスフェクションでなく「ポリフェクション」と言う場合もある）を形成する。最適トランスフェクション効率を得るためには、形成されるポリプレクスが完全に中性となるか又は低カチオン性となるように機能的ポリアルキレンイミンと核酸の割合を選択することが好ましい。一般に、前記割合は非沈澱性のカチオンポリプレクスを形成するように選択するが、形成されるポリプレクスのカチオン性が増すと毒性も増すのでポリプレクスのカチオン性をさほど高くしてはならない。従って、前記割合はケースバイケースで決定しなければならない。前記割合は一般に機能的ポリアルキレンイミンのアミンと核酸のリン酸のモル比が０．１〜５０、好ましくは０．５〜２０となるように選択する。当然のことながら、この比は使用する機能的ポリアルキレンイミン、核酸、標的細胞、投与方法、又は所期用途（特にトランスフェクトする細胞種）に応じて当業者が容易に調節及び最適化することができる。
【００３１】
上記ポリプレクスにおいて、核酸はデオキシリボ核酸でもリボ核酸でもよい。核酸は天然配列でも人工配列でもよく、特にゲノムＤＮＡ（ｇＤＮＡ）、相補的ＤＮＡ（ｃＤＮＡ）、メッセンジャーＲＮＡ（ｍＲＮＡ）、トランスファーＲＮＡ（ｔＲＮＡ）、リボソームＲＮＡ（ｒＲＮＡ）、ハイブリッド配列、合成又は半合成配列、修飾又は非修飾オリゴヌクレオチドが挙げられる。これらの核酸はヒト、動物、植物、細菌、ウイルス等の起源とすることができる。これらの核酸は当業者に公知の任意方法により得られ、特にライブラリースクリーニング、化学合成、又はライブラリースクリーニングにより得られた配列の化学もしくは酵素修飾を含む混合法により得られる。核酸は化学的に修飾してもよい。
【００３２】
特にデオキシリボ核酸については、１本鎖でも２本鎖でもよいし、短いオリゴヌクレオチドでも長い配列でもよい。特に、核酸は例えばプラスミド、ベクター、エピソーム又は発現カセットから構成すると有利である。これらのデオキシリボ核酸は特に、標的細胞で機能的又は非機能的な複製起点、１個以上のマーカー遺伝子、転写又は複製調節配列、目的治療遺伝子、修飾又は非修飾アンチセンス配列、あるいは他の細胞成分との結合領域等をもつことができる。
【００３３】
核酸は調節配列（例えば標的細胞で活性な１種以上のプロモーターと転写ターミネーター）の制御下におかれた１種以上の目的治療遺伝子を含むことが好ましい。
【００３４】
本発明の趣旨では、目的治療遺伝子とは特に治療効果をもつタンパク性物質をコードする任意遺伝子を意味する。このようにコードされるタンパク性物質としては特にタンパク質又はペプチドが挙げられる。このタンパク性物質は標的細胞に対して同種の外来又は内因物質、即ち標的細胞が疾病をもたないときに標的細胞で正常に発現される物質とすることができる。この場合には、タンパク質が発現されると、例えば細胞での不十分な発現や修飾による不活性又は低活性のタンパク質の発現を補ったり、前記タンパク質を過剰に発現することができる。目的治療遺伝子は例えば安定性を増したり活性を変化させた細胞タンパク質の突然変異体をコードするものでもよい。タンパク性物質は標的細胞に対して異種でもよい。この場合には、発現されるタンパク質は例えば細胞に欠失している活性を補充又は付加し、疾病に対抗できるようにしたり、免疫応答を刺激したりすることができる。
【００３５】
本発明の趣旨で治療物質としては、例えば酵素、血液誘導体、ホルモン、リンホカイン（例えばインターロイキン、インターフェロン又はＴＮＦ：ＦＲ９２／０３１２０）、増殖因子、神経伝達物質又はその前駆物質もしくは合成酵素、栄養因子（例えばＢＤＮＦ、ＣＮＴＦ、ＮＧＦ、ＩＧＦ、ＧＭＦ、ａＦＧＦ、ｂＦＧＦ、ＶＥＧＦ、ＮＴ３、ＮＴ５又はＨＡＲＰ／プレイオトロフィン）、アポリポタンパク質（例えばＡｐｏＡＩ、ＡｐｏＡＩＶ又はＡｐｏＥ：ＦＲ９３／０５１２５）、ジストロフィン又はミニジストロフィン（ＦＲ９１／１１９４７）、膵臓線維症に関連するタンパク質ＣＦＴＲ、腫瘍抑制遺伝子（例えばｐ５３、Ｒｂ、Ｒａｐ１Ａ、ＤＣＣ又はｋ−ｒｅｖ：ＦＲ９３／０４７４５）、凝血に関与する因子（例えばＶＩＩ、ＶＩＩＩ、ＩＸ因子）をコードする遺伝子、ＤＮＡの修復に関与する遺伝子、自殺遺伝子（チミジンキナーゼ、シトシンデアミナーゼ）、ヘモグロビン又は他のタンパク質輸送体の遺伝子、代謝酵素又は同化酵素を挙げることができる。
【００３６】
目的治療核酸は更に、標的細胞で発現されると遺伝子発現又は細胞ｍＲＮＡの転写を調節することが可能なアンチセンス遺伝子又は配列でもよい。このような配列は、例えば特許ＥＰ１４０３０８に記載の技術に従って標的細胞で細胞ｍＲＮＡの相補的ＲＮＡに転写し、そのタンパク質翻訳を阻止することができる。治療遺伝子は更に、標的ＲＮＡを選択的に破壊することが可能なリボソームをコードする配列も含む（ＥＰ３２１２０１）。
【００３７】
上述のように、核酸は更に、ヒト又は動物で免疫応答を発生することが可能な抗原ペプチドをコードする１種以上の遺伝子を含んでいてもよい。従って、この特定態様によると、本発明はヒト又は動物で特に微生物、ウイルス又は癌に対するワクチン又は免疫治療を提供することができる。特に、エプスタイン・バーウイルス、ＨＩＶウイルス、Ｂ型肝炎ウイルス（ＥＰ１８５５７３）、偽狂犬病ウイルス、「シンシチウム形成ウイルス」、他のウイルスの特異的抗原ペプチド又は腫瘍特異的抗原ペプチド（ＥＰ２５９２１２）を挙げることができる。
【００３８】
核酸は更に所望細胞又は臓器で目的治療遺伝子及び／又は抗原ペプチドをコードする遺伝子の発現を可能にする配列も含むことが好ましい。このような配列としては、これらの配列が感染細胞で機能可能なときに該当遺伝子の発現に天然に関与する配列が挙げられる。異なる起源の配列でもよい（他のタンパク質の発現に関与する配列でもよいし、あるいは合成配列でもよい）。特に、真核又はウイルス遺伝子のプロモーター配列が挙げられる。例えば、感染させたい細胞のゲノムに由来するプロモーター配列が挙げられる。また、ウイルスのゲノムに由来するプロモーター配列でもよい。この点では、例えばＥ１Ａ、ＭＬＰ、ＣＭＶ又はＲＳＶ遺伝子のプロモーターを挙げることができる。更に、活性化配列や調節配列等を付加してこれらの発現配列を修飾してもよい。また、誘導プロモーターでも抑制プロモーターでもよい。
【００３９】
こうして形成されるポリプレクスは例えば局所、皮膚、経口、直腸、膣、非経口、鼻腔内、静脈内、筋肉内、皮下、眼内、経皮、気管内又は腹腔内経路で投与するように処方することができる。形成されるポリプレクスは特に所望臓器のレベルに直接注射するための注射用製剤又は局所投与（皮膚及び／又は粘膜）用として医薬的に許容可能なキャリヤーを含有することが好ましい。このようなキャリヤーとしては、特に等張滅菌溶液又は場合に応じて滅菌水もしくは生理的血清を加えると注射可能な溶質を構成することが可能な乾燥組成物、特に凍結乾燥組成物が挙げられる。注射に使用する核酸の用量と投与回数は種々のパラメーター、特に使用する投与方法、該当疾病、発現させようとする遺伝子、又は所望治療期間に応じて選択できる。特に投与方法については、組織（例えば腫瘍レベル）又は循環経路への直接注射や、培養細胞処理後の注射又は移植によるｉｎ  ｖｉｖｏ再移植が挙げられる。本発明の範囲に該当する組織は例えば筋肉、皮膚、脳、肺、肝臓、脾臓、骨髄、胸腺、心臓、リンパ、血液、骨、軟骨、膵臓、腎臓、膀胱、胃、腸、精巣、卵巣、直腸、神経系、眼、腺、結合組織である。
【００４０】
上記ポリプレクスを含む組成物は核酸を細胞に導入するために使用することができる。より詳細には、前記組成物は疾病、特にタンパク又は核酸物質の欠損に起因する疾病の治療用医薬の製造に使用することができる。
【００４１】
核酸を細胞に導入する方法の１例は、
（１）上記ポリプレクスを含む組成物を形成する段階と、
（２）（１）で形成された組成物と細胞を接触させる段階を含む。
【００４２】
上記構成に加え、本発明の他の特徴と利点を以下の実施例と図面に記載するが、以下の記載は本発明の例示に過ぎず、発明の範囲を制限するものではない。
【００４３】
図面
図１：電荷比（＋／−）３〜２８の種々のグリコシル化ポリアルキレンイミン／ＤＮＡ処方のＥＣＶ３０４細胞におけるルシフェラーゼ活性をＲＬＵ／μｇタンパク質（ＲＬＵ：Ｒｅｌａｔｉｖｅ  Ｌｉｇｈｔ  Ｕｎｉｔ即ち相対発光量）で表したヒストグラム。実線の曲線は使用した各処方［３ａ］、［３ｂ］、［４ａ］及び［４ｂ］のグリコシル化ポリアルキレンイミンとＤＮＡの電荷比（＋／−）に伴う細胞生存率百分率を示す。
【００４４】
図２：電荷比（＋／−）３〜２８の種々のグリコシル化ポリアルキレンイミン／ＤＮＡ処方のＨｅＬａ細胞におけるルシフェラーゼ活性をＲＬＵ／μｇタンパク質（ＲＬＵ：Ｒｅｌａｔｉｖｅ  Ｌｉｇｈｔ  Ｕｎｉｔ即ち相対発光量）で表したヒストグラム。実線の曲線は使用した各処方［３ａ］、［３ｂ］、［４ａ］及び［４ｂ］のグリコシル化ポリアルキレンイミンとＤＮＡの電荷比（＋／−）に伴う細胞生存率百分率を示す。
【００４５】
図３：電荷比（＋／−）３〜２８の種々のグリコシル化ポリアルキレンイミン／ＤＮＡ処方のＨｅｐＧ２細胞におけるルシフェラーゼ活性をＲＬＵ／μｇタンパク質（ＲＬＵ：Ｒｅｌａｔｉｖｅ  Ｌｉｇｈｔ  Ｕｎｉｔ即ち相対発光量）で表したヒストグラム。実線の曲線は使用した各処方［３ａ］、［３ｂ］、［４ａ］及び［４ｂ］のグリコシル化ポリアルキレンイミンとＤＮＡの電荷比（＋／−）に伴う細胞生存率百分率を示す。
【００４６】
図４：ＤＮＡの細胞導入実験で使用したプラスミドｐＸＬ２７７４の模式図。
【００４７】
実施例
実施例１：ＰＥＩ−４％マルトースの製造［３ａ］
実施した反応は下記模式図で表すことができる。
【００４８】
【化８】
0004827358.tif 000006
【００４９】
２５ＫＤａＰＥＩ０．０２ｍｍｏｌ（５００ｍｇ，Ａｌｄｒｉｃｈ製品）を無水エタノール２０ｍｌに溶かした。その後、マルトース０．７ｍｍｏｌ（２５２ｍｇ）を加え、こうして得られた溶液を窒素雰囲気下に１５分間混合した。チタンＩＶイソプロポキシド１ｍｍｏｌ（０．３ｍｌ）を反応混合物にゆっくりと加え、撹拌下に一晩維持した。次に、ホウ水素化ナトリウム０．７５ｍｍｏｌ（２８．５ｍｇ）を加え、撹拌を８時間続けた。次に、反応混合物を濾過し、１０ｍｌまで濃縮した。得られた溶液を最後に１２時間透析した（１２０００サイズ排除メンブラン）。収率は８０％であった。
【００５０】
グラフトしたマルトース残基の百分率を上述したレゾルシノール法により決定した処、マルトース残基２３個が２５ＫＤａＰＥＩにグラフトしており、アミノ基グラフト率４％であった。
【００５１】
実施例２：ＰＥＩ−１２％マルトースの製造［３ｂ］
２５ＫＤａＰＥＩ０．０２ｍｍｏｌ（５００ｍｇ，Ａｌｄｒｉｃｈ製品）を無水エタノール２０ｍｌに溶かした。その後、マルトース２ｍｍｏｌ（７２０ｍｇ）を加え、こうして得られた溶液を窒素雰囲気下に１５分間混合した。チタンＩＶイソプロポキシド２．７ｍｍｏｌ（０．８ｍｌ）を反応混合物にゆっくりと加え、撹拌下に一晩維持した。次に、ホウ水素化ナトリウム２ｍｍｏｌ（７６ｍｇ）を加え、撹拌を８時間続けた。次に、反応混合物を濾過し、１０ｍｌまで濃縮した。得られた溶液を最後に１２時間透析した（１２０００サイズ排除メンブラン）。収率は８０％であった。
【００５２】
グラフトしたマルトース残基の百分率を上述したレゾルシノール法により決定した処、マルトース残基７０個が２５ＫＤａＰＥＩにグラフトしており、アミノ基グラフト率１２％であった。
【００５３】
実施例３：ＰＥＩ−６％ラクトースの製造［４ａ］
実施した反応は下記模式図で表すことができる。
【００５４】
【化９】
0004827358.tif 000007
【００５５】
２５ＫＤａＰＥＩ０．０２ｍｍｏｌ（５００ｍｇ，Ａｌｄｒｉｃｈ製品）を無水エタノール２０ｍｌに溶かした。その後、ラクトース１ｍｍｏｌ（３６０ｍｇ）を加え、こうして得られた溶液を窒素雰囲気下に１５分間混合した。チタンＩＶイソプロポキシド１．３５ｍｍｏｌ（０．４ｍｌ）を反応混合物にゆっくりと加え、撹拌下に一晩維持した。次に、ホウ水素化ナトリウム１ｍｍｏｌ（３８ｍｇ）を加え、撹拌を８時間続けた。次に、反応混合物を濾過し、１０ｍｌまで濃縮した。得られた溶液を最後に１２時間透析した（１２０００サイズ排除メンブラン）。収率は８０％であった。
【００５６】
グラフトしたラクトース残基の百分率を上述したレゾルシノール法により決定した処、ラクトース残基３５個が２５ＫＤａＰＥＩにグラフトしており、アミノ基グラフト率６％であった。
【００５７】
実施例４：ＰＥＩ−１７％ラクトースの製造［４ｂ］。
【００５８】
２５ＫＤａＰＥＩ０．０２ｍｍｏｌ（５００ｍｇ，Ａｌｄｒｉｃｈ製品）を無水エタノール２０ｍｌに溶かした。その後、ラクトース３ｍｍｏｌ（１０８０ｍｇ）を加え、こうして得られた溶液を窒素雰囲気下に１５分間混合した。チタンＩＶイソプロポキシド４ｍｍｏｌ（１．２ｍｌ）を反応混合物にゆっくりと加え、撹拌下に一晩維持した。次に、ホウ水素化ナトリウム３ｍｍｏｌ（１１４ｍｇ）を加え、撹拌を８時間続けた。次に、反応混合物を濾過し、１０ｍｌまで濃縮した。得られた溶液を最後に１２時間透析した（１２０００サイズ排除メンブラン）。収率は８０％であった。
【００５９】
グラフトしたラクトース残基の百分率を上述したレゾルシノール法により決定した処、ラクトース残基９９個が２５ＫＤａＰＥＩにグラフトしており、アミノ基グラフト率１７％であった。
【００６０】
使用例：ＰＥＩ−４％及び１２％マルトース又はＰＥＩ−６％及び７％ラクトースに結合したプラスミドＤＮＡの各種細胞種へのｉｎ  ｖｉｔｒｏトランスフェクション
本実施例は上記のように合成した機能的ポリアルキレンイミンがＤＮＡを細胞にトランスフェクトする能力について検討する。
【００６１】
使用したＤＮＡはプラスミドｐＸＬ２７７４であり、１５０ｍＭ塩化ナトリウム混合物に濃度８０μｇ／ｍｌで溶かした。このプラスミドはサイトメガロウイルスのＣＭＶプロモーターの制御下にルシフェラーゼをコードするｌｕｃ遺伝子を含む。その寸法は４５００ｂｐである。このプラスミドの模式図を図４に示す。プラスミドｐＸＬ２７７４は特許出願ＷＯ９７／３５００２に記載の方法により精製した。
【００６２】
ポリプレクスはプラスミドｐＸＬ２７７４溶液と所望電荷比に応じて可変濃度に水で希釈した機能的ＰＥＩ溶液を等容量混合することにより調製した。
【００６３】
２４ウェルマイクロプレートにＨｅＬａ細胞（ＡＴＣＣ）６００００個／ウェルを播き、２４時間後にトランスフェクトした。ポリプレクス溶液５０μｌを各ウェルに滴下した。血清の不在下でトランスフェクションよりも２時間前に培地に予めＦＣＳ（ウシ胎仔血清）を加えた。次に細胞を３７℃で４時間培養した。次に複合体を含む培地を取出し、ＤＭＥＭと１０％ウシ胎仔血清の混合物に交換した。次に、細胞を２４時間再培養した。最後に、細胞を溶解させ、ルシフェラーゼテストキット（Ｐｒｏｍｅｇａ）とＤｙｎｅｘ  ＭＬＸルミノメーターを使用して試験した。更に、細胞溶解液の濃度を測定することによりポリプレクスの毒性を調べ、溶解液タンパク質１μｇ当たりの酵素活性で表した。
【００６４】
図１、２及び３に示す結果はＤＮＡとの電荷比を変えて上記のように合成した各種機能的ＰＥＩを３種の異なる細胞系で使用した場合のトランスフェクション効率を表す。
【００６５】
全般にグラフト率の高いＰＥＩから形成したポリプレクスを使用した場合を除き、導入効率は比較的高いことが判明した（ＰＥＩ−１２％マルトースの効率はＰＥＩ−４％マルトースよりも劣り、ＰＥＩ−１７％ラクトースの効率はＰＥＩ−６％ラクトースよりも劣る）。従って、グラフト率は所期用途に応じて最適化することが重要なパラメーターである。
【００６６】
更に、アミノ基を機能的ヘミアセタールで置換すると、特にＤＮＡに対する電荷比が高い場合にはＰＥＩにより誘導される細胞毒性が有意に低下することが判明した。即ち、細胞生存率百分率（図１、２及び３）はＤＮＡをトランスフェクトするために非機能的ＰＥＩを使用した場合に得られる細胞生存率（結果は示さず）よりも著しく高く維持される。
【００６７】
従って、本実施例から明らかなように、確実で廉価な本発明の方法により得られる機能的ポリアルキレンイミンはＤＮＡの細胞トランスフェクションに有用な候補である。
【００６８】
【図面の簡単な説明】
【図１】  電荷比（＋／−）３〜２８の種々のグリコシル化ポリアルキレンイミン／ＤＮＡ処方のＥＣＶ３０４細胞におけるルシフェラーゼ活性をＲＬＵ／μｇタンパク質（ＲＬＵ：Ｒｅｌａｔｉｖｅ  Ｌｉｇｈｔ  Ｕｎｉｔ即ち相対発光量）で表したヒストグラム。実線の曲線は使用した各処方［３ａ］、［３ｂ］、［４ａ］及び［４ｂ］のグリコシル化ポリアルキレンイミンとＤＮＡの電荷比（＋／−）に伴う細胞生存率百分率を示す。
【図２】  電荷比（＋／−）３〜２８の種々のグリコシル化ポリアルキレンイミン／ＤＮＡ処方のＨｅＬａ細胞におけるルシフェラーゼ活性をＲＬＵ／μｇタンパク質（ＲＬＵ：Ｒｅｌａｔｉｖｅ  Ｌｉｇｈｔ  Ｕｎｉｔ即ち相対発光量）で表したヒストグラム。実線の曲線は使用した各処方［３ａ］、［３ｂ］、［４ａ］及び［４ｂ］のグリコシル化ポリアルキレンイミンとＤＮＡの電荷比（＋／−）に伴う細胞生存率百分率を示す。
【図３】  電荷比（＋／−）３〜２８の種々のグリコシル化ポリアルキレンイミン／ＤＮＡ処方のＨｅｐＧ２細胞におけるルシフェラーゼ活性をＲＬＵ／μｇタンパク質（ＲＬＵ：Ｒｅｌａｔｉｖｅ  Ｌｉｇｈｔ  Ｕｎｉｔ即ち相対発光量）で表したヒストグラム。実線の曲線は使用した各処方［３ａ］、［３ｂ］、［４ａ］及び［４ｂ］のグリコシル化ポリアルキレンイミンとＤＮＡの電荷比（＋／−）に伴う細胞生存率百分率を示す。
【図４】  ＤＮＡの細胞導入実験で使用したプラスミドｐＸＬ２７７４の模式図。
【図１】
0004827358.tif 000011
【図２】
0004827358.tif 000012
【図３】
0004827358.tif 000013
【図４】
0004827358.tif 000014